(57)【特許請求の範囲】
【請求項１】
バッテリーによる電動式の移動台車へＸ線撮影装置を搭載して成り、当該Ｘ線撮影装置は、Ｘ線発生部と、当該Ｘ線発生部から照射され、被験体を透過したＸ線を潜像として蓄積するＸ線検出器を備えた移動型Ｘ線装置において、
前記Ｘ線検出器を収納する収納部を備え、
前記収納部は、収納した前記Ｘ線検出器のロック機構を備え、
前記Ｘ線検出器が収納ボックスに収納された事を認識する認識手段を有し、
前記認識手段が、Ｘ線検出器が収納ボックスに収納された事を認識した場合は、自動的に前記ロック機構が前記Ｘ線検出器をロックし、
ＩＤまたはパスワードの入力により、ロックを解除する移動型Ｘ線装置。
【請求項２】
バッテリーによる電動式の移動台車へＸ線撮影装置を搭載して成り、当該Ｘ線撮影装置は、Ｘ線発生部と、当該Ｘ線発生部から照射され、被験体を透過したＸ線を潜像として蓄積するＸ線検出器を備えた移動型Ｘ線装置において、
前記Ｘ線検出器を収納する収納部を備え、
前記収納部は、収納した前記Ｘ線検出器のロック機構を備え、
装置電源がＯＦＦ状態になると、自動的に前記ロック機構が前記Ｘ線検出器をロックするように構成した移動型Ｘ線装置。
【請求項３】
請求項２に記載の移動型Ｘ線装置において、
装置電源がＯＮ状態になり、ＩＤまたはパスワードの入力により、ロックを解除する移動型Ｘ線装置。
【請求項４】
請求項２または請求項３に記載の移動型Ｘ線装置において、
更に、ロックスイッチを設け、
ロックスイッチによりロックされた状態で、装置電源がＯＦＦ状態になると、ロック状態を継続するようにした移動型Ｘ線装置。
【請求項５】
請求項１に記載の移動型Ｘ線装置において、
前記Ｘ線検出器は、イメージングプレートまたはフラットパネルディテクターである移動型Ｘ線装置。
【請求項６】
請求項１に記載の移動型Ｘ線装置において、
前記Ｘ線検出器の認識手段として、収納ボックス内に挿入された物の幅を検出する手段、および／または、収納ボックス内に挿入された物の質量を検出する手段を有する移動型Ｘ線装置。
【請求項７】
請求項６に記載の移動型Ｘ線装置において、
収納ボックス内に挿入された物の幅を検出する手段が、所定の間隔で配置された赤外線センサである移動型Ｘ線装置。
【請求項８】
請求項６に記載の移動型Ｘ線装置において、
収納ボックス内に挿入された物の質量を検出する手段が、圧力センサである移動型Ｘ線装置。
【請求項９】
請求項６に記載の移動型Ｘ線装置において、
予め登録された閾値を用いてＸ線検出器を認識する移動型Ｘ線装置。
【請求項１０】
請求項１に記載の移動型Ｘ線装置において、
前記Ｘ線検出器のロック機構に、前記Ｘ線検出器の無理な取り出しを警告する警告手段を有する移動型Ｘ線装置。
【請求項１１】
請求項１に記載の移動型Ｘ線装置において、
前記Ｘ線検出器のロック機構を動作させるためのロックスイッチを有する移動型Ｘ線装置。
【請求項１２】
請求項１１に記載の移動型Ｘ線装置において、
Ｘ線検出器のロック機構を動作させるための前記ロックスイッチは、キースイッチである移動型Ｘ線装置。
【発明の詳細な説明】
【技術分野】
【０００１】
この発明は、病院内で使用する移動型Ｘ線装置に関し、特に、撮像受光部の盗難防止技術に関する。
【背景技術】
【０００２】
従来の移動型Ｘ線装置は、バッテリーによる電動式の移動台車へＸ線撮影装置を搭載して成るものであり、バッテリーからの直流電源によって駆動しているため、病院内のコンセントに接続されるのは充電の時のみとなる。バッテリーの電力が十分残っている場合、病院内の廊下や人目につく場所に置かれる場合もある。そのため、移動型Ｘ線装置には、盗難防止としてキースイッチが設けられていることが多い。
【０００３】
また、移動型Ｘ線装置において、被験体を透過したＸ線を潜像として蓄積するＸ線検出器を備えている。Ｘ線検出器としては、イメージングプレート（以下、IPプレート）やフラットパネルディテクター（以下、FPD : Flat Panel Detector ）が用いられ、取り外し可能に構成されている。特許文献１に示されるように、これらのＸ線検出器は、移動型Ｘ線装置に備え付けられた簡易的な収納部に納められている。
【先行技術文献】
【特許文献】
【０００４】
【特許文献１】特開２００７−５３５号公報
【発明の概要】
【発明が解決しようとする課題】
【０００５】
従来、移動型Ｘ線装置は病院内の廊下や人目につく場所に置かれることもあるため、盗難防止用のキーが装備されているのが一般的である。
【０００６】
一方、FPDは近年ワイヤレス化、軽量化が進んでいるため、容易に持ち運びできるようになった。FPDは高価なため、人目に付く場所に停止する移動型Ｘ線装置に搭載する場合は、盗難防止機能が必要であるが、ワイヤレスFPDはまだ十分に普及しておらず、盗難防止のための手法は確定されていない。
【０００７】
本発明は、この課題を解決し、移動型Ｘ線装置において、FPD等のＸ線検出器に対する盗難防止機能を提供することを目的とする。
【課題を解決するための手段】
【０００８】
上記の課題を解決するために、本発明の移動型Ｘ線装置は、バッテリーによる電動式の移動台車へＸ線撮影装置を搭載して成り、当該Ｘ線撮影装置は、Ｘ線発生部と、当該Ｘ線発生部から照射され、被験体を透過したＸ線を潜像として蓄積するＸ線検出器を備えた移動型Ｘ線装置において、前記Ｘ線検出器を収納する収納部を備え、前記収納部は、収納した前記Ｘ線検出器のロック機構を備えるものである。
【０００９】
本発明の移動型Ｘ線装置において、前記Ｘ線検出器は、イメージングプレートまたはフラットパネルディテクターでよい。
また、本発明の移動型Ｘ線装置において、前記Ｘ線検出器が収納ボックスに収納された事を認識する認識手段を有するものでよい。
また、本発明の移動型Ｘ線装置において、前記Ｘ線検出器の認識手段として、収納ボックス内に挿入された物の幅を検出する手段、および／または、収納ボックス内に挿入された物の質量を検出する手段を有するものでよい。
また、本発明の移動型Ｘ線装置において、収納ボックス内に挿入された物の幅を検出する手段が、所定の間隔で配置された赤外線センサでよい。
また、本発明の移動型Ｘ線装置において、収納ボックス内に挿入された物の質量を検出する手段が、圧力センサでよい。
また、本発明の移動型Ｘ線装置において、予め登録された閾値を用いてＸ線検出器を認識するものでよい。
また、本発明の移動型Ｘ線装置において、前記Ｘ線検出器が収納ボックスに収納された事を認識した場合は、前記Ｘ線検出器をロックする手段を有するものでよい。
【００１０】
本発明の移動型Ｘ線装置において、前記Ｘ線検出器のロック機構に、前記Ｘ線検出器の無理な取り出しを警告する警告手段を有するものでよい。
また、本発明の移動型Ｘ線装置において、前記Ｘ線検出器のロック機構を動作させるための手動スイッチを有するものでよい。
また、本発明の移動型Ｘ線装置において、Ｘ線検出器のロック機構を動作させるための前記手動スイッチは、キースイッチでよい。
【００１１】
本発明の移動型Ｘ線装置において、前記認識手段が、Ｘ線検出器が収納ボックスに収納された事を認識した場合は、自動的に前記ロック機構が前記Ｘ線検出器をロックし、IDまたはパスワードの入力により、ロックを解除するものでよい。
【００１２】
本発明の移動型Ｘ線装置において、装置電源がOFF状態になると、自動的に前記ロック機構が前記Ｘ線検出器をロックするように構成したものでよい。
また、本発明の移動型Ｘ線装置において、装置電源がOＮ状態になり、IDまたはパスワードの入力により、ロックを解除するものでよい。
また、本発明の移動型Ｘ線装置において、更に、ロックスイッチを設け、ロックスイッチによりロックされた状態で、装置電源がＯＦＦ状態になると、ロック状態を継続するようにしたものでよい。
【発明の効果】
【００１３】
本発明によれば、FPD等のＸ線検出器に対する盗難防止機能を備え、より防犯性が高い移動型Ｘ線装置を提供することができる。
【図面の簡単な説明】
【００１４】
【図１】本発明の実施例の移動型Ｘ線装置の概略を示す図である。
【図２】本発明の実施例１の収納ボックスの構造を示す図である。
【図３】本発明の実施例２の収納ボックスの構造を示す図である。
【発明を実施するための形態】
【００１５】
本発明の実施の形態を、図面に基づいて説明する。
【実施例１】
【００１６】
先ず、本発明が適用される移動型Ｘ線装置の一例を説明する。図1は、移動型Ｘ線装置１００の概略を示すもので、台車１０６と、本体部１０７と、Ｘ線発生部１０３を有する。また、本体部１０７に対して着脱可能なIPプレートまたはFPDを有する。
【００１７】
台車１０６は、Ｘ線撮影装置を搭載し移動可能とするもので、バッテリー１０８により電源が供給され図示しない駆動モータにより自走する。
【００１８】
Ｘ線発生部１０３は、台車１０６に取り付けられる支柱１０１に、アーム１０２を介して取り付けられている。支柱１０１の回転、およびアーム１０２の昇降・屈曲によりＸ線発生部１０３を所望の位置に移動させることができる。
【００１９】
本体部１０７には、各部の制御機構を収納している。つまり、制御部１０９や画像読取装置１１０を収納すると共に、上部に設けたハンドル１０５の操作により前進・後退などの制御を可能とする。また、上面の操作パネル１０４により、撮影時のＸ線条件の設定などを行うことができる。符号１１１は、キースイッチを表す。
【００２０】
画像読取装置１１０は、IPプレートまたはFPDから、蓄積された潜像を画像データとして読み出す画像読取手段、読み出した画像データを記憶する情報格納手段、画像読取終了後に残留する潜像を消去する消去手段を備えるものである。なお、本体部１０７に画像読取装置１１０を設けているが、移動型Ｘ線装置１００とは別に設けた画像読取装置で、画像読取などを行うようにしても良い。
【００２１】
移動型Ｘ線装置１００には、本体部１０７の側面にFPDまたはIPプレートを収納するための収納部１１２が搭載されている。収納部１１２は、例えば有底上部が開口した薄型のケースである。収納部１１２は、FPDまたはIPプレートが収納された時、以下に説明するように、FPDまたはIPプレートを固定する。
【００２２】
図２は、本発明の実施例１の収納ボックス１１２の構造を説明する図であり、図２（ａ）は、収納ボックス１１２の幅の広い面から見た正面図、図２（ｂ）は、収納ボックス１１２の幅の狭い面から見た側面図である。
【００２３】
図２において、収納ボックス１１２の下部には、複数の赤外線センサ２０１、および圧力センサ２０３が設けられている。赤外線センサ２０１は特定の距離を置いて設置されているため、収納ボックス１１２に投入された物の幅を判定することができる。両側の赤外線センサ２０１が検知しない場合は、投入された物がＸ線検出器（FPDまたはIPプレート）でないと判定する。
赤外線センサ２０１でＸ線検出器（FPDまたはIPプレート）の幅を満たす物が入れられたと判断した後、圧力センサ２０３によって重さを計測し、データを本体部１０７の制御部１０９に送信する。FPDまたはIPプレートの重さはほぼ決まっているため、予め登録された閾値内の重さであることが制御部１０９によって判断されると、Ｘ線検出器（FPDまたはIPプレート）であると認識する。
【００２４】
Ｘ線検出器（IPプレートまたはFPD）が収納ボックス１１２に収納されたと認識された場合、自動的にＸ線検出器（FPDまたはIPプレート）がロック機構によりロックされる。ロックは、収納ボックス１１２の下部に設置されている押さえ２０４によって押さえつけられる構造になっている。押さえ２０４は、ソレノイド２０２が押さえ２０４に接続されている板金等を吸着し、Ｘ線検出器（FPDまたはIPプレート）を、予め設置されているもう一方の押さえ２０４と挟み込み、押さえつける構造になっている。ロックされている状態のとき、操作パネル１０４に番号（IDまたはパスワード）が入力されるとロック解除信号が出され、ソレノイド２０２の吸着が解除され、押さえ２０４はバネ２０５によって収納ボックス１１２の側面に寄せられる。
【００２５】
なお、ロック機構によりＸ線検出器を自動的にロックする構成に代えて、または加えて、操作パネルに設置されたロックスイッチによりＸ線検出器のロック或いは解除を選択できるように構成しても良い。
【００２６】
キースイッチ１１１により装置電源をOFF状態にしたとき、操作パネル１０４に備え付けられているロックスイッチは機能しなくなる。このとき、収納ボックス１１２に収納されているFPDおよびIPプレートを無理に抜くと、警告音を発する。
【００２７】
ここで、赤外線センサ２０１、圧力センサ２０３、警告音ブザー２０６は、直接バッテリー部１０８の一部から電力を取る回路基板２０７によって制御される。回路基板２０７は、装置電源投入中は制御部１０９と通信を行っているが、装置電源が切られ、制御部１０９と通信ができていない状態、かつ、圧力センサの値が大幅に変化した場合、または、赤外線センサが変化した場合、自動で警告ブザー２０６を鳴らす仕組みになっている。
【実施例２】
【００２８】
図３は、本発明の実施例２の収納ボックス１１２の構造を説明する図であり、図３（ａ）は、収納ボックス１１２の幅の広い面から見た正面図、図３（ｂ）は、収納ボックス１１２を上から見た平面図である。
【００２９】
図３の実施例の場合、収納ボックス１１２にＸ線検出器（FPDまたはIPプレート）が収納され、装置電源が切られたとき、自動でロックする機構になっている。
【００３０】
FPDおよびIPプレートを押さえる部分３０１，３０２は、板金等で図のように接続されている。これらの押さえ３０１，３０２は、ソレノイド３０５の吸着によって、「押さえつける」「押さえつけない」の切替えが行われる。
【００３１】
ソレノイド３０５は、装置電源投入中は吸着され、押さえ３０１，３０２は収納ボックス１１２の側面に収まっている。装置電源が切られたとき、ソレノイド３０５の吸着は解除され、バネ３０３，３０４によって押さえ３０１，３０２はそれぞれ抑えるために移動する。
【００３２】
抑える部分は、図３の通り上側面２箇所、下前後面１箇所の計３点となるが、図３の通り、側面の押さえ３０１と下面の押さえ３０２は繋がっている。側面の押さえ３０１はソレノイド３０５の動きに合っているが、下面の押さえ３０２は、動作方向が違うため、押さえ３０２の下部にはバネ３０６が取り付けられ、常に押す状態としている。そして、ソレノイド３０５によって押さえに取り付けられた接続部分が吸着されると楔状の部分３０７が外側に動き、下面の押さえ３０２を押さえていた面が下がる。そのため、下面のロックが外れた状態となる。固定する場合は、この逆の動きになるため、側面の押さえ３０１の動きと合う動きとなる。
【００３３】
装置電源解除中は、前記押さえ３０１，３０２によって固定されるが、装置電源が投入された後は、Ｘ線条件入力用の操作パネル１０４上で番号（IDまたは任意のパスワード）を入力することで、ロックが解除される。
【００３４】
ロックスイッチを設けても良い。ロックスイッチは、収納ボックス１１２にＸ線検出器（IPプレートまたはFPD）が収納されたとき、装置電源投入中でも、スイッチを押すことで手動ロックができる。この場合も、ロック解除にはＸ線条件入力用パネル１０４上で番号（IDまたは任意のパスワード）を入力することが必要となる。
【００３５】
ここで、図２および図３で示す手法を、組み合わせても良い。ロックスイッチによりロックされた状態で、装置電源がＯＦＦ状態になると、ロック状態が継続される。
【００３６】
実施例１および実施例２の移動型Ｘ線装置の使用方法を説明する。使用者は移動型Ｘ線装置１００のハンドル１０５を操作し、モータ駆動または手動により被験者のいるベッドサイドに移動する。移動後、アーム１０２を用いてＸ線発生部１０３を撮影位置に移動させ、移動型Ｘ線装置１００本体に備えられたＸ線条件入力用の操作パネル１０４にＸ線撮影条件を入力する。
【００３７】
使用者は、FPDまたはIPプレートを被験者の撮影個所に設置し、Ｘ線撮影を行う。Ｘ線撮影終了後、画像確認ができる装置（移動型Ｘ線装置に搭載した画像読取装置１１０や、移動型Ｘ線装置とは別の、Computed radiography装置を搭載した回診車、Flat Panel Detector装置を搭載した回診車のようなデジタル画像を読み込み、表示できる装置など）によって画像がモニタに表示され、その場で画像に問題が無いか確認する。
【００３８】
回診終了後、使用者は移動型Ｘ線装置１００を一度、病室の外へ出し、FPDまたはIPプレートを収納ボックス１１２へ収納する。その後、被験者の様子を確認するため、廊下に移動型Ｘ線装置を出して停止し、病室へ戻る。移動型Ｘ線装置は、停止後、自動的に収納ボックス内のロック機構が働き、FPDまたはIPプレートは取り出せない状態になる。
【００３９】
操作者が戻った後、移動型Ｘ線装置に電源が投入され、自動でロックが解除されるため、そのまま回診業務に戻ることができる。
【符号の説明】
【００４０】
１００  移動型Ｘ線装置
１０１  支柱
１０２  アーム
１０３  Ｘ線発生部
１０４  操作パネル
１０５  ハンドル
１０６  台車
１０７  本体部
１０８  バッテリー
１０９  制御部
１１０  画像読取装置
１１１  キースイッチ
１１２  収納ボックス
２０１  赤外センサ
２０２  ソレノイド
２０３  圧力センサ
２０４  押さえ
２０５  ソレノイド
２０６  警告ブザー
２０７  回路基板
３０１，３０２  押さえ
３０３，３０４  バネ
３０５  ソレノイド
３０６  バネ
３０７  楔状の部分
【図１】
0005938797.tif 000002
【図２】
0005938797.tif 000003
【図３】
0005938797.tif 000004